(57)【要約】【課題】本発明に係る光レセプタクルは、ホルダにより保持される部材に作用する力の均一化を図り、組立容易性且つ光接続効率に優れた光レセプタクルおよび光モジュールを提供する。【解決手段】本発明に係る光レセプタクルＸ１は、光ファイバを有するスタブ１０と、スタブ１０の少なくとも一部を挿入するための貫通孔４０ａを有し、スタブ１０を保持するためのホルダ４０とを備えている。ホルダ４０は、貫通孔４０ａに沿って延びるスリット４３を有している。また、本発明に係る光モジュールは、光レセプタクルＸ１と、スタブ１０の光ファイバに向けて光を出射する、または、スタブ１０の光ファイバを介して導出された光を受けるための光素子と、を備えている。【選択図】図１
2007226118.tif 000002
【特許請求の範囲】
【請求項１】
光ファイバを有するスタブと、前記スタブの少なくとも一部を挿入するための貫通孔を有し、前記スタブを保持するためのホルダとを備える光レセプタクルであって、
前記ホルダは、前記貫通孔に沿って延びるスリットを有することを特徴とする、光レセプタクル。
【請求項２】
前記スリットは、前記ホルダにおける前記スタブの保持領域内に形成されている、請求項１に記載の光レセプタクル。
【請求項３】
前記スタブの光ファイバに対して光学的に接続される光ファイバを有するプラグの少なくとも一部、および、前記スタブの少なくとも一部を挿入するための貫通孔を有し、前記プラグの光ファイバと前記スタブの光ファイバとの間の調心を得るためのスリーブと、前記ホルダに保持され且つ前記スリーブの少なくとも一部を収容するスリーブケースとを更に備える、請求項1または２に記載の光レセプタクル。
【請求項４】
前記スリットは、前記ホルダにおける前記スリーブケースの保持領域内に形成されている、請求項３に記載の光レセプタクル。
【請求項５】
前記スリーブケースはジルコニアセラミックスからなる、請求項１から４のいずれか一つに記載の光レセプタクル。
【請求項６】
請求項１〜５に記載の光レセプタクルと、前記スタブの光ファイバに向けて光を出射する、または、前記スタブの光ファイバを介して導出された光を受けるための光素子と、を備えることを特徴とする、光モジュール。
【発明の詳細な説明】
【技術分野】
【０００１】
本発明は光レセプタクルおよび光モジュールに関し、特に光通信用の光レセプタクルおよび光モジュールに関する。
【背景技術】
【０００２】
従来から、光信号を例えば電気信号に変換するための光モジュールが開発されている。このような光モジュールは、半導体レーザやフォトダイオードなどの光素子と、光信号を導通するための光ファイバとを備え、光素子を光ファイバの端面に対向配置して光信号を該端面に入射（あるいは該端面から出射）することにより、光ファイバを介して該光信号を導入あるいは導出するように構成されている。ここで、光モジュールとは、発光モジュールや受光モジュールなどの総称である。発光モジュールとは、光素子として半導体レーザを採用し、光ファイバを介して光信号を導出するように構成されたものであり、受光モジュールとは、光素子としてフォトダイオードを採用し、光ファイバを介して光信号を導入するように構成されたものである。このような光モジュールに関する技術については、例えば下記の特許文献１に記載されている。
【０００３】
図５は、従来の光モジュールに採用される光レセプタクル９０の断面を表す。
【０００４】
光レセプタクル９０は、スタブ９１と、スリーブ９２と、スリーブケース９３と、ホルダ９４とを有する。スタブ９１は、光信号を導通するための光ファイバ（図示せず）の一端部を、フェルールの貫通孔に接着固定したものである。スリーブ９２は、図示しないプラグの光ファイバとスタブ９１の光ファイバとの間の調心を得るためのものである。スリーブケース９３は、スリーブ９２を保護するためのものである。ホルダ９４は、スタブ９１およびスリーブケース９３を保持するためのものである。
【特許文献１】特開２００１−０６６４６８号公報
【発明の開示】
【発明が解決しようとする課題】
【０００５】
ホルダ９４にスタブ９１を保持させる際には、軸方向の位置精度や組立容易性の観点から一般的に圧入手段が採用される。同様に、ホルダ９４にスリーブケース９３を保持させる際にも、圧入手段が採用される。
【０００６】
しかしながら、図５に示す従来のレセプタクル９０では、ホルダ９４にスタブ９１およびスリーブケース９３を圧入する際、スタブ９１およびスリーブケース９３の軸とホルダ９４の軸とを一致させなければ、圧入保持を行なう過程において応力が一部に集中してしまい、特にスタブ９１やスリーブケース９３の構成材料としてセラミックスを採用する場合においてクラックが発生してしまう場合があった。
【０００７】
また、スタブ９１およびスリーブケース９３の軸とホルダ９４の軸とが軸ずれを起こした状態でホルダ９４に保持されると、スタブ９１に装着されるスリーブ９２がスリーブケース９３に接触してしまい、図示しないプラグとスタブとの調芯を適切に図ることができず、結果として光の接続損失が非常に大きくなってしまう場合があった。
【０００８】
本発明は、このような事情のもとで考え出されたものであって、ホルダにより保持される部材に作用する力の均一化を図り、組立容易性且つ光接続効率に優れた光レセプタクルおよび光モジュールを提供すること、を目的とする。
【課題を解決するための手段】
【０００９】
本発明の第１の側面に係る光レセプタクルは、光ファイバを有するスタブと、スタブの少なくとも一部を挿入するための貫通孔を有し、スタブを保持するためのホルダとを備えるものであって、ホルダが貫通孔に沿って延びるスリットを有することを特徴としている。
【００１０】
本光レセプタクルにおいてスリットは、ホルダにおけるスタブの保持領域内に形成されているのが好ましい。
【００１１】
本光レセプタクルは、スタブの光ファイバに対して光学的に接続される光ファイバを有するプラグの少なくとも一部、および、スタブの少なくとも一部を挿入するための貫通孔を有し、プラグの光ファイバとスタブの光ファイバとの間の調心を得るためのスリーブと、ホルダに保持され且つスリーブの少なくとも一部を収容するスリーブケースとを更に備えるのが好ましい。このような構成においてスリットは、ホルダにおけるスリーブケースの保持領域内に形成されているのが好ましい。
【００１２】
本光レセプタクルにおいてスリーブケースはジルコニアセラミックスからなるのが好ましい。
【００１３】
本発明の第２の側面に係る光モジュールは、本発明の第１の側面に係る光レセプタクルと、スタブの光ファイバに向けて光を出射する、または、スタブの光ファイバを介して導出された光を受けるための光素子と、を備えることを特徴としている。
【発明の効果】
【００１４】
本発明の第１の側面に係る光レセプタクルにおいてホルダは、貫通孔に沿って延びるスリットを有している。つまり、本光レセプタクルでは、ホルダの貫通孔にスタブを挿入して保持させる場合に、ホルダ自体が適度に撓るため、スタブの軸とホルダの軸とが軸ずれを実質的に起こすことがない。そのため、本光レセプタクルでは、スタブをホルダに保持させる過程において、応力がスタブの一部に集中して作用するようなことが実質的になく、ホルダからスタブに対して作用する力の均一化を図ることができる。また、本光レセプタクルでは、スタブの軸とホルダの軸とが軸ずれを実質的に起こすことがないため、スタブと光学的に接続されるプラグとの調芯を適切に図ることができ、結果として光の接続損失の発生を抑制することができる。
【００１５】
また、従来のようにホルダにスタブを圧入する場合は、圧入荷重のバラツキを抑制する観点から、非常に高い寸法精度（例えば１０μｍ程度）が要求されるが、本光レセプタクルでは、ホルダのスリットにより圧入荷重のバラツキを抑制することができるので、従来のものに比べて組立容易性が高い。
【００１６】
本光レセプタクルにおいてスリットは、ホルダにおけるスタブの保持領域内に形成するようにしてもよい。このような構成によると、スタブの保持領域外にはスリットを形成しなくてもよいので、ホルダにおけるスタブの保持強度を高めるうえで好適である。特に、光レセプタクルに光素子ユニットを接続して光モジュールを形成する場合に、光レセプタクルのホルダと光素子ユニットのケースとを溶接（例えばレーザ溶接）すると、ホルダに衝撃が伝わり、この衝撃に起因してホルダのスリットの幅が広がる方向に塑性変形してしまう場合がある。このような場合において、スタブの保持領域内にのみスリットを形成すると、上記衝撃に起因するスリットの幅の広がりが抑制されるため、ホルダにおけるスタブの保持強度が低下するのを防ぐことが可能となる。
【００１７】
本光レセプタクルは、プラグの光ファイバとスタブの光ファイバとの間の調心を得るためのスリーブと、ホルダに保持され且つスリーブの少なくとも一部を収容するスリーブケースとを更に備えていてもよい。このような構成によると、ホルダの貫通孔にスリーブケースを挿入して保持させる場合に、ホルダ自体が適度に撓るため、スリーブケースの軸とホルダの軸とが軸ずれを実質的に起こすことがない。そのため、本構成の光レセプタクルでは、スリーブケースをホルダに保持させる過程において、応力がスリーブケースの一部に集中して作用するようなことが実質的になく、ホルダからスリーブケースに対して作用する力の均一化を図ることができる。また、本構成の光レセプタクルでは、スリーブケースの軸とホルダの軸とが軸ずれを実質的に起こすことがないため、スタブに装着されるスリーブがスリーブケースに接触することがなく、プラグとスタブとの調芯を適切に図ることができ、結果として光の接続損失の発生を抑制することができる。
【００１８】
また、従来のようにホルダにスリーブケースを圧入する場合は、圧入荷重のバラツキを抑制する観点から、非常に高い寸法精度（例えば１０μｍ程度）が要求されるが、本構成の光レセプタクルでは、ホルダのスリットにより圧入荷重のバラツキを抑制することができるので、従来のものに比べて組立容易性が高い。
【００１９】
本光レセプタクルにおいてスリットは、ホルダにおけるスリーブケースの保持領域内に形成されているのが好ましい。このような構成によると、スタブおよびスリーブケースの保持領域外にはスリットを形成しなくてもよいので、ホルダにおけるスリーブケースの保持強度を高めるうえで好適である。特に、光レセプタクルに光素子ユニットを接続して光モジュールを形成する場合に、光レセプタクルのホルダと光素子ユニットのケースとを溶接（例えばレーザ溶接）すると、ホルダに衝撃が伝わり、この衝撃に起因してホルダのスリットの幅が広がる方向に塑性変形してしまう場合がある。このような場合において、スタブおよびスリーブケースの保持領域内にのみスリットを形成すると、上記衝撃に起因するスリットの幅の広がりが抑制されるため、ホルダにおけるスタブおよびスリーブケースの保持強度が低下するのを防ぐことが可能となる。
【００２０】
本光レセプタクルにおいてスリーブケースは、ジルコニアセラミックスで構成してもよい。このような構成によると、光レセプタクルにおいて妨害雑音のアンテナとなり得る金属部分の割合を低減することができるので、妨害雑音の影響を低減することができる。
【００２１】
本発明の第２の側面に係る光モジュールは、本発明の第１の側面に係る光レセプタクルを採用している。したがって、本光モジュールでは、ホルダにより保持されるスタブやスリーブケースに作用する力の均一化を図り、組立容易性且つ光接続効率を高めることができるのである。
【発明を実施するための最良の形態】
【００２２】
図１は、本発明の第１の実施形態に係る光レセプタクルＸ１の概略構成を表す図であり、（ａ）はその断面図、（ｂ）はその斜視図である。光レセプタクルＸ１は、スタブ１０と、スリーブ２０と、スリーブケース３０と、ホルダ４０とを有する。
【００２３】
スタブ１０は、フェルール１１および光ファイバ（図示せず）を有し、フェルール１１の貫通孔１２に光ファイバを例えば接着剤により接着固定することにより構成される部材である。スタブ１０は、スタブ１０と同様の構成を有するプラグ（図示せず）と光学的に接続される。スタブ１０の先端面１０ａはアール面（例えば曲率半径が５〜３０ｍｍ）である。このような構成は、プラグとの間の接続損失を低減するうえで好適である。スタブ１０の後端面１０ｂは、該スタブ１０の軸心に対して所定の角度（例えば４〜１０°）で傾斜する傾斜面である。このような構成は、例えば光素子から出射された光が光ファイバの端面で反射し、反射光として該光素子に戻るのを防ぐうえで好適である。なお、スタブ１０の後端面１０ｂ側には、スタブ１０に向けて光を出射するための光源への戻り光を抑制する光アイソレータを配してもよい。
【００２４】
フェルール１１は、光ファイバを挿入するための貫通孔１１ａを有する。フェルール１１を構成する材料としては、酸化ジルコニウム（ジルコニア）、酸化アルミニウム（アルミナ）、ムライト、窒化ケイ素、炭化ケイ素および窒化アルミニウムなどの単体もしくはこれらを主成分として含むセラミックス、結晶化ガラスなどのガラスセラミックスなどが挙げられ、中でも対候性や靭性に優れたジルコニア系セラミックス（ジルコニアを主成分とするセラミックス）が好適である。
【００２５】
スリーブ２０は、スタブ１０およびプラグを挿入するための貫通孔２０ａを有し、スタブ１０とプラグとの間の調心機能を担う部材である。スリーブ２０には、開放端２０ｂを介してスタブ１０が挿入され、開放端２０ｃを介してプラグが挿入される。本実施形態に係るスリーブ２０は、長手方向（矢印ＡＢ方向）に延びるスリット（図示せず）を有する、いわゆる割りスリーブである。このような構成のスリーブ２０を採用する場合、スリーブ２０内に挿入されるプラグに対して作用する把持力を高めるべく、貫通孔２０ａの孔径はプラグフェルールの外径より若干（例えば数μｍ）小さく設定するのが好ましい。スリーブ２０としては、割りスリーブに代えて、いわゆる精密スリーブ（スリット無し）を採用してもよい。スリーブ２０を構成する材料としては、燐青銅、ベリリウム銅、黄銅、ステンレスなどの金属、エポキシや液晶ポリマなどのプラスチック、セラミックスなどが挙げられ、中でも耐摩耗性に優れ且つ適度に弾性変形するジルコニア系セラミックス（ジルコニアを主成分とするセラミックス）が好適である。さらに、ジルコニア系セラミックスの中でも、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定化ジルコニアセラミックス（正方晶の結晶が主体）は、耐摩耗性および弾性変形性の観点から好適である。
【００２６】
スリーブケース３０は、プラグの挿入時に該プラグを案内するための開口部３０ａを有し、スリーブ２０を収容するための円筒状部材である。スリーブケース３０におけるスリーブ２０を収容するための空間の径は、スリーブ２０の外径より若干大きく構成されている。開口部３０ａはテーパ状に構成されており、その開口径はプラグの外径より若干大きく構成されている。スリーブケース３０を構成する材料としては、セラミックス、ステンレス、銅、鉄、ニッケル、プラスチックなどが挙げられるが、妨害雑音の影響を低減する観点からセラミックスやプラスチックが好適であり、さらに組立容易性の観点からジルコニアセラミックスが好適である。
【００２７】
ホルダ４０は、保持部４１、保持部４２、およびスリット４３を有し、スタブ１０およびスリーブケース３０を保持するための部材である。保持部４１は、スタブ１０を保持する貫通孔４０ａを規定するための部位であり、スタブ１０が嵌合可能に構成されている。保持部４１におけるスタブ１０との当接面の算術平均粗さは、スタブ１０の保持状態の安定性の観点から、０．１μｍ以上に設定するのが好適である。保持部４２は、スリーブケース３０を保持する貫通孔４０ｂを規定するための部位であり、スリーブケース３０が嵌合可能に構成されている。保持部４２におけるスリーブケース３０との当接面の算術平均粗さは、スリーブケース３０の保持状態の安定性の観点から、０．１μｍ以上に設定するのが好適である。スリット４３は、貫通孔４０ａ，４０ｂに沿ってホルダ４０の軸方向（矢印ＡＢ方向）に延びるように、その全体にわたって形成されている。ホルダ４０を構成する材料としては、ステンレス、銅、鉄、ニッケルなどの溶接可能材料やセラミックスなどが挙げられ、特に耐腐食性および溶接性の観点からステンレスが好適である。なお、ホルダ４０における保持部４１，４２の孔径は、ホルダ４０に保持されるスタブ１０およびスリーブケース３０に対して作用する把持力を高めるべく、プラグフェルールの外径より若干（例えば数μｍ）小さく設定するのが好ましい。
【００２８】
本実施形態に係る光レセプタクルＸ１においてホルダ４０は、貫通孔４０ａ，４０ｂに沿ってホルダ４０の軸方向（矢印ＡＢ方向）に延びるスリットを有している。つまり、光レセプタクルＸ１では、ホルダ４０の貫通孔４０ａ，４０ｂにスタブ１０およびスリーブケース３０を挿入して保持させる場合に、ホルダ４０自体が適度に撓るため、スタブ１０およびスリーブケース３０の軸とホルダ４０の軸とが軸ずれを実質的に起こすことがない。そのため、光レセプタクルＸ１では、スタブ１０およびスリーブケース３０をホルダ４０に保持させる過程において、応力がスタブ１０およびスリーブケース３０の一部に集中して作用するようなことが実質的になく、ホルダ４０からスタブ１０およびスリーブケース３０に対して作用する力の均一化を図ることができる。また、光レセプタクルＸ１では、スタブ１０およびスリーブケース３０の軸とホルダ４０の軸とが軸ずれを実質的に起こすことがないため、スタブ１０に装着されるスリーブ２０がスリーブケース３０に接触することがなく、プラグとスタブ１０との調芯を適切に図ることができ、結果として光の接続損失の発生を抑制することができる。
【００２９】
また、従来のようにホルダ４０にスタブ１０およびスリーブケース３０を圧入する場合は、圧入荷重のバラツキを抑制する観点から、非常に高い寸法精度（例えば１０μｍ程度）が要求されるが、光レセプタクルＸ１では、ホルダ４０のスリット４３により圧入荷重のバラツキを抑制することができるので、従来のものに比べて組立容易性が高い。
【００３０】
さらに、光レセプタクルＸ１においてスリーブケース３０の構成材料としてジルコニアセラミックスを採用する場合は、光レセプタクルＸ１において妨害雑音のアンテナとなり得る金属部分の割合を低減することができるので、妨害雑音の影響を低減することができる。
【００３１】
図２は、本発明の第２の実施形態に係る光レセプタクルＸ２の概略構成を表す断面図である。光レセプタクルＸ２は、ホルダ４０に代えてホルダ４０’を採用した点において、光レセプタクルＸ１と異なる。光レセプタクルＸ２の他の構成については、光レセプタクルＸ１に関して上述したのと同様である。
【００３２】
ホルダ４０’は、保持部４１、保持部４２、およびスリット４４を有し、スタブ１０およびスリーブケース３０を保持するための部材である。スリット４４は、貫通孔４０ａに沿ってホルダ４０’の軸方向（矢印ＡＢ方向）に延びるように、保持部４１に形成されている。ホルダ４０’を構成する材料としては、ホルダ４０と同様のものが挙げられる。
【００３３】
本実施形態に係る光レセプタクルＸ２においてスリットは、ホルダ４０’におけるスタブ１０の保持領域内のみに形成されているので、スタブ１０の保持強度を高めることができる。光レセプタクルＸ１に光素子ユニットを接続して光モジュールを形成する場合に、光レセプタクルＸ１のホルダ４０と光素子ユニットのケースとを溶接（例えばレーザ溶接）する場合においても、ホルダ４０のスリットの幅が広がる方向に塑性変形するのを抑制することができるため、ホルダ４０におけるスタブ１０の保持強度が低下するのを防ぐことができる。
【００３４】
図３は、本発明の第３の実施形態に係る光レセプタクルＸ３の概略構成を表す断面図である。光レセプタクルＸ２は、ホルダ４０’に代えてホルダ４０”を採用した点において、光レセプタクルＸ２と異なる。光レセプタクルＸ３の他の構成については、光レセプタクルＸ２に関して上述したのと同様である。
【００３５】
ホルダ４０”は、保持部４１、保持部４２、スリット４４、およびスリット４５を有し、スタブ１０およびスリーブケース３０を保持するための部材である。スリット４５は、貫通孔４０ｂに沿ってホルダ４０”の軸方向（矢印ＡＢ方向）に延びるように、保持部４２に形成されている。ホルダ４０”を構成する材料としては、ホルダ４０と同様のものが挙げられる。
【００３６】
本実施形態に係る光レセプタクルＸ３においてスリットは、ホルダ４０”におけるスタブ１０の保持領域内およびスリーブケース３０の保持領域内のみに形成されているので、スタブ１０およびスリーブケース３０の保持強度を高めることができる。光レセプタクルＸ３に光素子ユニットを接続して光モジュールを形成する場合に、光レセプタクルＸ３のホルダ４０と光素子ユニットのケースとを溶接（例えばレーザ溶接）する場合においても、ホルダ４０のスリットの幅が広がる方向に塑性変形するのを抑制することができるため、ホルダ４０におけるスタブ１０およびスリーブケース３０の保持強度が低下するのを防ぐことができる。
【００３７】
図４は、本発明に係る光レセプタクルＸ１を備える光モジュールＹの概略構成を表す断面図である。光モジュールＹは、光レセプタクルＸ１および光素子ユニット５０を備える。光素子ユニット５０は、光素子５１と、レンズ５２と、ケース５３とを備える。
【００３８】
光素子５１は、スタブ１０の光ファイバに向けて光を出射するための発光素子、または、スタブ１０の光ファイバを介して導出された光を受けるための受光素子である。発光素子としては、半導体レーザやＬＥＤなどの発光ダイオードなどが挙げられ、受光素子としては、受信用のＰＤ（フォトダイオード）などが挙げられる。
【００３９】
レンズ５２は、光素子５１が発光素子の場合は該発光素子から出射された光を集光してスタブ１０の光ファイバに導入する機能を担い、光素子５１が受光素子の場合はスタブ１０の光ファイバを介して導出された光を集光して該受光素子に導入する機能を担う部材である。
【００４０】
ケース５３は、光素子５１およびレンズ５２を収容するための部材であり、光レセプタクルＸ１に対して例えば溶接により接合されている。ケース５３を構成する材料としては、ステンレス、銅、鉄、ニッケルなどの溶接可能材料やセラミックスなどが挙げられ、特に耐腐食性および溶接性の観点からステンレスが好適である。
【００４１】
以上、本発明の具体的な実施形態を示したが、本発明はこれに限定されるものではなく、発明の思想から逸脱しない範囲内で種々の変更が可能である。
【００４２】
次に、本発明の実施例および比較例について説明する。
【００４３】
［実施例］
＜ホルダの加工＞ステンレス（ＳＵＳ３０４）からなるホルダの、スタブおよびスリーブケースの保持領域を切削加工によりスリット（幅：０．５ｍｍ）を形成した。
【００４４】
＜光レセプタクルの作製＞まず、ジルコニアセラミックスからなるフェルール（直径：１．２５ｍｍ）の貫通孔に光ファイバの一端部を接着固定することにより、スタブを作製した。スタブは、その先端面をアール面（曲率半径：２０ｍｍ）とし、その後端面を傾斜面（傾斜角６°）とした。スリーブとしては割スリーブを採用し、その構成材料はジルコニアセラミックスとした。次に、作製したスタブにおけるフェルールの後端部側を、上記加工を施したホルダに保持させた。次に、ホルダに圧入されたスタブの先端部側を、スリーブの貫通孔に一端側から挿入した。次に、スタブの一部が挿入されたスリーブを覆うようにして、ジルコニアセラミックスからなるスリーブケースを、上記加工を施したホルダに保持させた。このようにして、本実施例に係る光レセプタクルを２０個作製した。
【００４５】
＜同心度の測定＞作製した各光レセプタクルについて、スリーブ内径とスリーブケース外径との同心度を測定し、軸の傾き度合いを調べた。測定装置は、テストインジケータ（製造会社：株式会社ミツトヨ、型番：５１３−４４４）を用いた。測定方法について以下に説明する。まず、各光レセプタクルのフェルールとは別に直径１．２５ｍｍのフェルールを用意し、該フェルールとテストインジケータの相対位置が変化しないように測定台に固定した。次に、別に用意したフェルールを光レセプタクルのスリーブに挿入した後、テストインジケータの測定子を光レセプタクルのスリーブケース外径に接触させ、該フェルールを軸に光レセプタクルを回転させ、テストインジケータの測定子の振れを読み取ることで同心度を測定した。以上の測定結果をそれぞれ表１に示した。
【表１】
2007226118.tif 000003
【００４６】
［比較例］
＜光レセプタクルの作製＞スリット加工がないホルダを採用した以外は、実施例と同様にして、本比較例に係る光レセプタクルを２０個作製した。
【００４７】
＜同心度の測定＞実施例と同様にして同心度を測定し、その測定結果をそれぞれ表１に示した。
【００４８】
［評価］
表１に示されるように、比較例における軸の傾き度合いが平均値で５１μｍであったのに対して、実施例における軸の傾き度合いが平均値で１７μｍであった。また、比較例における軸の傾き度合いが最大値で１０２μｍであったのに対して、実施例における軸の傾き度合いが最大値で３２μｍであった。以上のことから、本実施例の光レセプタクルの方が明らかに軸の傾き度合いが低減されていることがわかった。
【図面の簡単な説明】
【００４９】
【図１】本発明の第１の実施形態に係る光レセプタクルの概略構成を表す図であり、（ａ）は断面図、（ｂ）は斜視図である。
【図２】本発明の第２の実施形態に係る光レセプタクルの概略構成を表す断面図である。
【図３】本発明の第３の実施形態に係る光レセプタクルの概略構成を表す断面図である。
【図４】図１に示す光レセプタクルを備える光モジュールの概略構成を表す断面図である。
【図５】従来の光レセプタクルの概略構成を表す断面図である。
【符号の説明】
【００５０】
Ｘ１〜Ｘ３    光レセプタクル
Ｙ    光モジュール
１０    スタブ
２０    スリーブ
３０    スリーブケース
４０    ホルダ
【図１】
2007226118.tif 000004
【図２】
2007226118.tif 000005
【図３】
2007226118.tif 000006
【図４】
2007226118.tif 000007
【図５】
2007226118.tif 000008